(57)【特許請求の範囲】
【請求項１】
天井と床面にそれぞれ取付けた天レールと地レールとによって所定間隔毎に複数の支柱を立設し、該支柱間に単又は複数の横桟を架設し、両支柱、天レール、地レール及び横桟で囲まれる空間にパネル板を装着してなる間仕切パネルシステムであって、前記支柱は横桟連結面側に長手方向に沿って凹溝を有し、前記横桟は上下面側に区画板で仕切られたパネル板保持用の凹溝部を有し、正面視倒Ｌ字形の連結具の垂直片を前記支柱の凹溝内に取付けるとともに、連結具の水平片を前記横桟の下方凹溝部内で前記区画板の下面に配置し前記連結具の水平片を上方からネジ止めして取付け、更に前記横桟の端部に該端面を覆うように合成樹脂製の端部材を嵌着して前記支柱の側面と横桟端部間に介在させるとともに、前記端部材に一体形成したパネル板載支部を前記上方凹溝部内で前記区画板の上面に当接状態で配し且つ該パネル板載支部の高さを前記ネジの頭部の高さより高く設定してなることを特徴とする間仕切パネルシステム。
【請求項２】
前記端部材は、前記横桟の断面外形状に近似した形状のフランジ部の一側面に、該横桟の凹溝部以外の部分に嵌入する嵌合部を形成するとともに、他側面に前記支柱の凹溝に密嵌する突部を形成し、前記フランジ部の上下部に前記横桟の凹溝部に連通し且つ前記連結具の水平片を逃がし得る切欠部を形成してなる請求項１記載の間仕切パネルシステム。
【発明の詳細な説明】
【０００１】
【発明の属する技術分野】
本発明は、間仕切パネルシステムに係わり、更に詳しくは天井と床面間に立設した支柱に透過性のガラス板や不透過性のパネル板を装着して構成する間仕切パネルシステムに関するものである。
【０００２】
【従来の技術】
従来から、天井と床面にそれぞれ取付けた天レールと地レールとによって所定間隔毎に複数の支柱を立設し、該支柱間にガラス板やパネル板を装着してなる間仕切装置は各種提供されている。そして、間仕切装置の一部にドアを設けたり、一部にガラス板を装着して採光性を高めたりして、機能的、視覚的な変化を持たせていることも公知である。
【０００３】
従来のこのような間仕切装置では、左右に立設した支柱間に、単又は複数の横桟を上下に間隔を置いて正面視Ｌ字形の連結具にてネジ止めして架設し、両支柱、天レール、地レール及び横桟で囲まれる空間にパネル板を装着していた。ここで、前記パネル板を装着できるようにするため、前記支柱の側面には凹溝を設けるとともに、前記天レールの下面、前記地レールの上面、前記横桟の上下面に、前記支柱の凹溝と連通する凹溝部をそれぞれ設けている。
【０００４】
そして、前記両支柱、天レール、地レール及び横桟で囲まれる空間に装着されたパネル板は、地レールの凹溝部及び横桟の上方凹溝部内に取付けた合成樹脂製のセッティングブロックに載支している。このセッティングブロックを設ける理由は、パネル板の装着時の高さ位置を最適に調整したり、特にパネル板がガラス板である場合には、該ガラス板が破損しないように保護するためと、前記横桟を支柱に連結具で取付ける際に、横桟の上方凹溝部にネジの頭部が位置するので、このネジ頭にパネル板が接触しないようにするためである。しかし、このセッティングブロックを高い位置にある横桟の上方凹溝部の底面に取付ける作業は非常に手間がかかる。
【０００５】
一方、前記横桟は、パネル板の荷重を受けるので強度が要求され、そのためアルミニウムの押出し型材や、スチール製の杆体が使用されている。前記横桟の端部切断面は、前記支柱間に連結具で取付ける際に、該支柱の側面に接触して傷を付けることがあり、その作業は慎重を来たすものであった。また、横桟の切断面の精度が悪い場合や、バリが生じている場合には、外観性不良の原因となる。
【０００６】
【発明が解決しようとする課題】
そこで、本発明が前述の状況に鑑み、解決しようとするところは、間隔を隔てた支柱間に横桟を連結する際に、支柱の側面を傷つける恐れがなく、また外観性にも優れ、更に横桟の上方凹溝部内にパネル板の下端を載支して保護するためのセッティングブロックを取付ける必要がない間仕切パネルシステムを提供する点にある。
【０００７】
【課題を解決するための手段】
本発明は、前述の課題解決のために、天井と床面にそれぞれ取付けた天レールと地レールとによって所定間隔毎に複数の支柱を立設し、該支柱間に単又は複数の横桟を架設し、両支柱、天レール、地レール及び横桟で囲まれる空間にパネル板を装着してなる間仕切パネルシステムであって、前記支柱は横桟連結面側に長手方向に沿って凹溝を有し、前記横桟は上下面側に区画板で仕切られたパネル板保持用の凹溝部を有し、正面視倒Ｌ字形の連結具の垂直片を前記支柱の凹溝内に取付けるとともに、連結具の水平片を前記横桟の下方凹溝部内で前記区画板の下面に配置し前記連結具の水平片を上方からネジ止めして取付け、更に前記横桟の端部に該端面を覆うように合成樹脂製の端部材を嵌着して前記支柱の側面と横桟端部間に介在させるとともに、前記端部材に一体形成したパネル板載支部を前記上方凹溝部内で前記区画板の上面に当接状態で配し且つ該パネル板載支部の高さを前記ネジの頭部の高さより高く設定してなる間仕切パネルシステムを構成した。
【０００９】
また、前記端部材は、前記横桟の断面外形状に近似した形状のフランジ部の一側面に、該横桟の凹溝部以外の部分に嵌入する嵌合部を形成するとともに、他側面に前記支柱の凹溝に密嵌する突部を形成し、前記フランジ部の上下部に前記横桟の凹溝部に連通し且つ前記連結具の水平片を逃がし得る切欠部を形成したものであるとより好ましい。
【００１０】
【発明の実施の形態】
次に本発明の実施の形態を添付図面に基づき更に詳細に説明する。図１は本発明に係る間仕切パネルシステムの簡略斜視図、図２〜図５は本発明の要部を示し、図中符号１は天レール、２は地レール、３は支柱、４は横桟、５はパネル板（ガラス板）をそれぞれ示している。
【００１１】
本発明に係る間仕切パネルシステムは、天井Ｓと床面にそれぞれ取付けた天レール１と地レール２とによって所定間隔毎に複数の支柱３，…を立設し、該支柱３，３間に単又は複数の横桟４，…を架設し、両支柱３，３、天レール１、地レール２及び横桟４で囲まれる空間にパネル板５を装着したものであり、前記支柱３は横桟連結面側に長手方向に沿って凹溝６を有し、前記横桟５は上下面側にパネル板保持用の凹溝部７，８を有し、正面視倒Ｌ字形の連結具９の垂直片１０を前記支柱３の凹溝６内に取付けるとともに、連結具９の水平片１１を前記横桟４の下方凹溝部８内に取付け、更に前記横桟４の端部に該端面を覆うように合成樹脂製の端部材１２を嵌着して前記支柱３の側面と横桟４の端部間に介在させるとともに、前記端部材１２に一体形成したパネル板載支部１３を前記上方凹溝部７内に配してなるものである。ここで、本実施形態では、前記パネル板５としてガラス板を用いている。
【００１２】
前記天レール１、地レール２、支柱３及び横桟４は、本実施形態ではアルミニウムの押出し型材で形成した長尺部材であり、天レール１と地レール２は同一形状の部材で互いに天地逆向きにしたものである。
【００１３】
更に詳しくは、前記横桟４の上下凹溝部７，８は区画板１４で仕切られ、該区画板１４の下面に前記連結具９の水平片１１を上方からネジ１５，１５にて連結するとともに、前記端部材１２のパネル板載支部１３を前記区画板１４の上面に当接状態で配し且つ該パネル板載支部１３の高さを前記ネジ１５の頭部１５Ａの高さより高く設定している。そのため、前記パネル板５の下端縁を横桟４の上方凹溝部７内に挿入した際に、該パネル板５の下端が前記ネジ１５の頭部１５Ａに接触することがなく、パネル板載支部１３で載支することができるのである。
【００１４】
ここで、前記端部材１２のパネル板載支部１３は、前記横桟４の端部であって前記ネジ１５の頭部１５Ａよりも端部側に位置しているので、パネル板載支部１３に加わったパネル板５の荷重は、前記区画板１４を介して連結具９の水平片１１で直接受けることができ、そのため横桟４の曲げに対する要求強度を下げることができ、該横桟４のコスト低減化が図れる。
【００１５】
また、前記端部材１２は、前記横桟４の断面外形状に近似した形状のフランジ部１６の一側面に、該横桟４の凹溝部７，８以外の部分に嵌入する嵌合部１７を形成するとともに、他側面に前記支柱３の凹溝６に密嵌する突部１８を形成し、前記フランジ部１６の上下部に前記横桟４の凹溝部７，８に連通し且つ前記連結具９の水平片１１を逃がし得る切欠部１９，２０を形成している。
【００１６】
次に、各部材について詳細に説明する。前記支柱３は、図２〜図４に示すように、断面外形が四角形の中空部材の両側対向面中央部に長手方向に沿って凹溝６，６を形成し、該凹溝６の開口縁に互いに対向するように係合突条２１，２１を形成したものである。
【００１７】
前記横桟４は、図２、図３、図５及び図６に示すように、前記区画板１４を備えた主横桟部材２２と該主横桟部材２２に取付ける副横桟部材２３と、横桟カバー部材２４とから構成されている。前記主横桟部材２２は、区画板１４の一端部に断面略Ｔ字状に側面板２２Ａを形成するとともに、該側面板２２Ａの上端から他端側へ屈曲した上側保持片２２Ｂと、側面板２２Ａの下端から他端側へ屈曲して下側保持片２２Ｃをそれぞれ延設し、前記区画板１４の他端部に上方外側に傾斜した係合片２２Ｄを一体形成したものである。そして、前記係合片２２Ｄの下端は区画板１４より下方に突出し、該下端を係止縁２２Ｆとし、係合片２２Ｄの上部外側面に沿って条溝２２Ｇを形成している。また、前記副横桟部材２３は、前記主横桟部材２２の係合片２２Ｄに外側から係合し、該係合片２２Ｄと同一傾斜の接合片２３Ａを有し、該接合片２３Ａの上端に前記主横桟部材２２の上側保持片２２Ｂと同様な形状の上側保持片２３Ｂを断面略Ｔ字状に形成するとともに、接合片２３Ａの下端から断面略く字状に延設して下側保持片２３Ｃを形成したものである。そして、前記接合片２３Ａの下端部には前記係止縁２２Ｆに下方から外嵌する係合部２３Ｆを形成するとともに、接合片２３Ａの上部には前記条溝２２Ｇに係合する突条２３Ｇを形成している。また、前記横桟カバー部材２４は、前記副横桟部材２３の上側保持片２３Ｂと下側保持片２３Ｃとで形成される側方へ開放した溝部２３Ｈを閉止するものであり、側面板２４Ａの一側面上下にそれぞれ上側保持片２３Ｂと下側保持片２３Ｃの端部に係合する脚片２４Ｂ，２４Ｂを設けたものである。
【００１８】
そして、前記主横桟部材２２に副横桟部材２３を連結して横桟４を構成するが、それには図６に示すように、先ず主横桟部材２２の係合片２２Ｄ下端の係止縁２２Ｆに副横桟部材２３の接合片２３Ａ下端の係合部２３Ｆを下方より係止し、それから前記係合片２２Ｄに接合片２３Ａが重合するように副横桟部材２３の上部を主横桟部材２２に接近する方向へ回転させ、係合片２２Ｄに接合片２３Ａが重合した状態で前記条溝２２Ｇに突条２３Ｇが係合し、その状態で前記副横桟部材２３の溝部２３Ｈ内からネジ２５を挿入して係合片２２Ｄと接合片２３Ａを締付けて連結するのである。ここで、前記ネジ２５を螺合する作業は、前記接合片２３Ａの面が斜め下方を向いているため、横桟４が高い位置にある場合でも下方から作業できるので簡単且つ効率的である。そして、最後に副横桟部材２３の溝部２３Ｈを横桟カバー部材２４で閉止してネジ２５を隠蔽するのである。また、前記端部材１２の嵌合部１７は、前記主横桟部材２２の区画板１４と側面板２２Ａ及び上側保持片２２Ｂと下側保持片２２Ｃとで形成される空間内に嵌合するようになっている。ここで、前記主横桟部材２２の上側保持片２２Ｂと副横桟部材２３の上側保持片２３Ｂ及び区画板１４とで上方凹溝部７が形成され、同様に主横桟部材２２の下側保持片２２Ｃと副横桟部材２３の下側保持片２３Ｃ及び区画板１４とで下方凹溝部８が形成されるのである。
【００１９】
また、前記連結具９は、金属板をＬ字状に屈曲して前記垂直片１０と水平片１１を形成し、各垂直片１０と水平片１１の一側縁を直角に内角側へ屈曲して補強片２６，２６を形成し、コーナー部で両補強片２６，２６の重合部分を溶接して強度を高めている。
【００２０】
この連結具９を用いて前記支柱３に横桟４を連結するには、先ず、前記支柱３の凹溝６内に、連結具９の垂直片１０をネジ止めし、前記主横桟部材２２の端部に前記端部材１２を嵌着した状態で、該主横桟部材２２の区画板１４の端部を連結具９の水平片１１に載せ、該区画板１４に形成した通孔２７，２７に上方よりネジ１５，１５を相通し、水平片１１に形成した螺孔２８，２８に螺合する。それから前述のように主横桟部材２２に副横桟部材２３を連結し、横桟カバー部材２４を装着するのである。ここで、前記横桟４にパネル板５の下部を保持するには、作業的には主横桟部材２２に副横桟部材２３を連結する前に、パネル板５を主横桟部材２２の両端部に嵌着した端部材１２，１２のパネル板載支部１３，１３に載支した後、副横桟部材２３を主横桟部材２２に連結するのである。尚、この作業において当該横桟４の下方に既にパネル板５を配設していても全く支障がないようにクリアランス等の寸法が設定されている。
【００２１】
また、前記天レール１は、図５に示すように、前記横桟４の構造と共通する構造となっている。つまり、前記天レール１は、固定レール２９と、該固定レール２９に着脱可能に連結するカバーレール３０と、天レールカバー部材３１の三部材で構成し、前記固定レール２９には天井Ｓに固定する固定板２９Ａの一端部に下方へ側面板２９Ｂを形成するとともに、該側面板２９Ｂの下端に前記下側保持片２２Ｃと同様な固定側保持片２９Ｃを形成し、更に前記固定板２９Ａの他端を余した位置に前記係合片２２Ｄと同様な係合片２９Ｄを下設したものである。また、前記カバーレール３０は、前記接合片２３Ａと同様な接合片３０Ａの上端に、前記固定板２９Ａの端部下面に接合する固定片３０Ｂを形成するとともに、接合片３０Ａの下端に前記下側保持片２３Ｃと同様なカバー側保持片３０Ｃを形成したものである。そして、前記固定レール２９にカバーレール３０を連結した状態で、固定側保持片２９Ｃとカバー側保持片３０Ｃとで、パネル板５の上縁を保持する凹溝部３２が形成される。また、前記天レールカバー部材３１は、前記横桟カバー部材２４と同一の部材である。その他の構造は、前記横桟４と同様であるのでその説明は省略する。また、前記地レール２は、当該天レール１を天地逆転したものであるので、その説明も省略する。
【００２２】
そして、図１及び図６に示すように、前記両支柱３，３、天レール１、地レール２及び横桟４とで、パネル板５を保持するには、パネル板５の周縁部を支柱３，３の凹溝６，６と、天レール１又は地レール２の凹溝部３２に挿入し、更にパネル板５を横桟４の両端部に嵌着した端部材１２のパネル板載支部１３に載支した状態で、支柱３の係合突条２１，２１と、天レール１と地レール２の固定側保持片２９Ｃとカバー側保持片３０Ｃ、更に横桟４の上側保持片２２Ｂと上側保持片２３Ｂ及び下側保持片２２Ｃと下側保持片２３Ｃとに一対のパッキン３３，３３を嵌着し、該パネル板５の表裏面を押圧保持するのである。
【００２３】
また、前記パネル板５と壁面との間は、図１に示すように、壁面に上下方向に沿って端部部材３４を固定し、該端部部材３４の側面に形成した前記支柱３の凹溝６と実質的に同一機能の溝部に、前記同様に一対のパッキン３３，３３を用いて保持するのである。
【００２４】
また、前記支柱３を介在させずに、パネル板５，５同士を直接的に連結するには、図７〜図９に示した目地具３５を用いる。該目地具３５は、押出し成形した型材からなる第１目地部材３６と第２目地部材３７とから構成している。先ず、パネル板５，５同士を直線状に連結するには、図７に示すような目地具３５Ａを用いる。この目地具３５Ａの第１目地部材３６は、両パネル板５，５の表面に当接する鍔部３８の中央部に一対の挟持脚３９，３９を間隔を設けて直角に突設し、各挟持脚３９の対向面側先端部に二条の係止条４０，４０を基部から異なる距離の位置に突設したものである。また、前記第２目地部材３７は、両パネル板５，５の表面に当接する鍔部４１の中央部に係合脚４２を直角に突設し、該係合脚４２の中間部の両面に前記係止条４０に係止する係止突条４３，４３を突設したものである。そして、図７（ａ）及び（ｂ）に示すように、両パネル板５，５の間に若干の間隔を設けて配し、表裏一方の側から前記第１目地部材３６の挟持脚３９，３９をパネル板５，５間に挿入するとともに、鍔部３８をパネル板５，５の表面に当接し、それから反対側から第２目地部材３７の係合脚４２を挟持脚３９，３９間に挿入して係止突条４３，４３を対面する基端側の一対の係止条４０，４０に係止するとともに、鍔部４１をパネル板５，５の裏面に当接して弾性的に保持するのである。また、パネル板５の板厚が厚い場合には、図７（ｃ）に示すように、係止突条４３，４３を先端側の一対の係止条４０，４０に係止するのである。
【００２５】
また、両パネル板５，５を直角に連結の場合には、図８に示すような目地具３５Ｂを用いる。この目地具３５Ｂの第１目地部材３６は、鍔部３８の形状が両パネル板５，５のコーナー部内角面に当接するように断面略Ｌ字形に形成し、該鍔部３８の角部から前記同様な挟持脚３９，３９を突設したものである。また、第２目地部材３７は、鍔部４１の形状が両パネル板５，５のコーナー部外角面に当接するように断面略Ｌ字形に形成し、該鍔部４１の角部から前記同様な係合脚４２を突設してものである。その他は、前記同様であるので説明は省略する。この場合も、パネル板５の板厚に応じて図８（ａ）と（ｂ）に示した状態で両パネル板５，５を直角に連結できるのである。
【００２６】
また、３枚のパネル板５，…をＴ字状に連結するには、図９に示したような目地具３５Ｃを用いる。この目地具３５Ｃは、前記目地具３５Ａと第１目地部材３６の形状が若干異なるだけで、その他は同じ構造である。この第１目地部材３６は、鍔部３８の外側面に第３のパネル板５の側縁部を挟持する一対の補助鍔部４４，４４を突設した以外は、目地具３５Ａの第１目地部材３６と同じものである。この場合も、直線状に連結するパネル板５，５の板厚に応じて図９（ａ）と（ｂ）に示した状態となる。
【００２７】
【発明の効果】
以上にしてなる請求項１に係る発明の間仕切パネルシステムによれば、横桟の両端部に挿着した端部材のパネル板載支部に、パネル板を載支することができるので、従来横桟の凹溝部内に別途取付けていたセッティングブロックが不要となり、当然その取付作業も省略できるので、作業が簡単且つ効率的になり、また端部材を横桟の端部に装着して該横桟端面を覆っているので、横桟を支柱に連結する作業中に支柱の側面を傷付けることがなく、また支柱の側面と横桟の端面間に端部材が介在しているので、隙間がなくなってこの部分での光漏れがなく、外観性の向上が図れるのである。更に、区画板の下面に連結具の水平片を配し、上方からネジ止めするので、横桟を仮置き状態でネジ止め作業だけで支柱に連結できるので、連結作業が簡単であるとともに、横桟の支持強度が高く、しかも端部材のパネル板載支部に加わるパネル板の荷重を、区画板を介して直下の連結具の水平片で受けるので、横桟自体には高い曲げ強度は要求されないので、横桟のコスト低減化を図ることができる。
【００２９】
請求項２によれば、横桟の端部への端部材の装着作業が簡単であるとともに、横桟の端部に端部材を装着した状態のまま、連結具による支柱への取付作業において全く邪魔になることがないのである。
【図面の簡単な説明】
【図１】本発明に係る間仕切パネルシステムの全体構成を説明するための簡略斜視図である。
【図２】本発明の要部を示し、支柱、横桟、端部材、連結具の相互関係を示す分解斜視図である。
【図３】支柱に横桟を連結した状態の部分縦断正面図である。
【図４】同じく部分横断平面図である。
【図５】横桟でパネル板を保持した状態の部分縦断側面図である。
【図６】横桟の主横桟部材と副横桟部材との連結手順を示す断面図である。
【図７】目地具を用いて２枚のパネル板を直接直線状に連結するための構造を示す部分断面図である。
【図８】目地具を用いて２枚のパネル板を直接Ｌ字状に連結するための構造を示す部分断面図である。
【図９】目地具を用いて３枚のパネル板を直接Ｔ字状に連結するための構造を示す部分断面図である。
【符号の説明】
Ｓ  天井
１  天レール            ２  地レール
３  支柱                ４  ガラス板
５  パネル板            ６  凹溝
７  上方凹溝部          ９  連結具
１０  垂直片            １１  水平片
１２  端部材            １３  パネル板載支部
１４  区画板            １５  ネジ
１５Ａ  頭部            １６  フランジ部
１７  嵌合部            １８  突部
１９，２０  切欠部      ２１  係合突条
２２  主横桟部材        ２２Ａ  側面板
２２Ｂ  上側保持片      ２２Ｃ  下側保持片
２２Ｄ  係合片          ２２Ｆ  係止縁
２２Ｃ  下側保持片      ２２Ｇ  条溝
２３  副横桟部材        ２３Ａ  接合片
２３Ｂ  上側保持片      ２３Ｃ  下側保持片
２３Ｆ  係合部          ２３Ｇ  突条
２３Ｈ  溝部            ２４  横桟カバー部材
２４Ａ  側面板          ２４Ｂ  脚片
２５  ネジ              ２６  補強片
２７  通孔              ２８  螺孔
２９  固定レール        ２９Ａ  固定板
２９Ｂ  側面板          ２９Ｃ  固定側保持片
２９Ｄ  係合片          ３０  カバーレール
３０Ａ  接合片          ３０Ｂ  固定片
３０Ｃ  カバー側保持片  ３１  天レールカバー部材
３２  凹溝部            ３３  パッキン
３４  端部部材          ３５、３５Ａ、３５Ｂ、３５Ｃ  目地具
３６  第１目地部材      ３７  第２目地部材
３８  鍔部              ３９  挟持脚
４０  係止条            ４１  鍔部
４２  係合脚            ４３  係止突条
４４  補助鍔部
【図１】
0003575425.tif 000002
【図２】
0003575425.tif 000003
【図３】
0003575425.tif 000004
【図４】
0003575425.tif 000005
【図５】
0003575425.tif 000006
【図６】
0003575425.tif 000007
【図７】
0003575425.tif 000008
【図８】
0003575425.tif 000009
【図９】
0003575425.tif 000010